(57)【要約】      （修正有）【課題】コインとガイド面との摩擦抵抗を減少し、硬度が低い材料でつくられたコインの変形、磨耗を防止するコインホッパを提供する。【解決手段】コインＣを押す押出片３９を有する回転ディスク２０、回転ディスク２０に対し平行に配置されたベース１６、ベース１６上をスライドしつつ回転ディスク２０と共に回動するコインＣ周面を案内する円形のガイド面１５、ベースから突出する第１ピン５０及び第２ピン５２によって回転ディスク２０の周方向にコインＣを案内して固定ガイド５８と移動ガイド６０によってコインセンサ７８に向かって払い出すようにしたコインホッパであって、押出片３９は、押進部４２及び押出部４４を含み、押進部４２は、回転ディスク２０の回転軸線から周方向に伸びる直線ＬＡ上であって、かつ回転軸線からガイド面１５によって案内されるコインＣの中心までの距離を半径とする円弧Ｙとの交点を含む面内に位置するようにした。【選択図】図２
2010015594.tif 000002
【特許請求の範囲】
【請求項１】
コイン(C)を貯留するボウル(80)、前記ボウル(80)の底部に位置すると共にコイン(Ｃ)が上から下に向かって通過可能な通孔(22)が形成され、前記コイン(C)を押す押出片(39)を有する回転ディスク(20)、前記通孔(22)に落下したコイン(C)がスライドする前記回転ディスク(20)に対し平行に配置されたベース(16)、および、前記ベース(16)上をスライドしつつ前記回転ディスク(20)と共に回動する前記コイン(C)の周面を案内する円形のガイド面(15)を有し、さらに前記ベース(16)から突出する第１ピン(50)及び第２ピン(52)によって前記回転ディスク(20)の周方向に前記コイン(C)を案内して固定ガイド(58)と移動ガイド(60)によってコインセンサ(78)に向かって払い出すようにしたコインホッパであって、
前記押出片(39)は、押進部(42)及び押出部(44)を含み、前記押進部(42)は前記通孔(22)に隣接し、前記押出部(44)は前記押進部(42)に対し前記回転ディスク(22)の回転軸線から遠く離れ、かつ前記回転ディスク(22)の回転後位側に配置され、前記押進部(42)は、前記回転ディスク(20)の前記回転軸線から周方向に伸びる直線(LA)上であって、かつ前記回転軸線から前記ガイド面(15)によって案内される前記コイン(C)の中心までの距離を半径とする円弧(Y)との交点を含む面内に位置し、前記押出部(44)は、前記交点よりも前記回転軸線から離れた位置において前記直線(LA)に対し鈍角をなす直線(LB)上に位置する外向き面に形成され、さらに、
前記第１ピン(50)と前記第２ピン(52)の前記ガイド面(15)側の外周面を接続する直線(LD)は前記コインセンサ(78)を指向し、前記ガイド面(15)と前記移動ガイド(60)の間にガイド(72)を配置し、前記ガイド(72)は前記ガイド面(15)に続いて前記直線(LD)とほぼ平行する出口ガイド(76)を有することを特徴とするコインホッパ。
【請求項２】
前記押進部(42)は、前記回転軸線を中心として弧状に形成された押進リブ(46)の回転前位側の端面に形成され、前記押出部(44)は、前記回転軸線を中心として弧状に、前記押進リブ(46)よりも前記回転軸線から遠い位置であって、かつ前記押進部(42)よりも回転後位側に位置する回転前位側の端面に形成されていることを特徴とする請求項１のコインホッパ。
【請求項３】
前記直線と前記出口ガイドとの距離が２１．５ミリから２１ミリであり、かつ、ベースの上面と回転ディスクの裏面との間隔が２．０ミリから２．６ミリの範囲に設定したことを特徴とする請求項１又は２のコインホッパ
【発明の詳細な説明】
【技術分野】
【０００１】
本発明は、改良された回転ディスクを備えるコインホッパに関する。
詳しくは、軟質材料で作られたコインを損傷しないコインホッパに関する。
なお、本明細書で使用する「コイン」は、通貨であるコイン、ゲーム機のメダルやトークン等の代用貨幣、及び、それらと類似のものを包含する。
【背景技術】
【０００２】
従来の回転ディスクの押出片は、コインを速やかに払い出すように、回転中心に対しインボリュート曲線状に形成されている（例えば、特許文献１および特許文献２参照。）。
このため、コインが押出片によって常時回転ディスクの周方向に大きな力で押出されるため、コインの周面がガイド面に大きな圧力で押し付けられつつ回転ディスクと共に回動する。
【０００３】
【特許文献１】特開平７−１１４６５８号（図１）
【特許文献２】特許第３２７３０６９号（図４、図７）
【発明の開示】
【発明が解決しようとする課題】
【０００４】
日本円のコインを使用する場合、５００円、１００円及び５０円の白銅系コインは、比較的硬度が大きいのでガイド面との摩擦抵抗が小さいが、青銅系の１０円及びアルミ系の１円コインは比較的硬度が小さいので摩擦抵抗が大きい。
そのため、青銅系やアルミ系の軟質材料で作られたコインを払い出す場合、回転ディスクを回転する電気モータの消費電力が大きいという問題がある。
また、アルミ系の硬度が低い材料の場合、前記押付力によりコイン周縁が変形し、実質的に厚みが増加するため、コイン識別機において誤検知されるという問題がある。
さらに、コイン周縁が変形しないまでも磨耗が大きく、数回の払い出しによる摩滅で重量及び直径が著しく減少し、コイン識別機が誤判定するという問題があった。
【０００５】
本発明の第１の目的は、回転ディスクの押出片でコインを回動させる場合、コインとガイド面との摩擦抵抗を減少することである。
本発明の第２の目的は、硬度が低い材料でつくられたコインの変形、又は、磨耗を防止することである。
【課題を解決するための手段】
【０００６】
この目的を達成するため、請求項１の発明にかかるコインホッパは次のように構成されている。
コインを貯留するボウル、前記ボウルの底部に位置すると共にコインが上から下に向かって通過可能な通孔が形成され、前記コインを押す押出片を有する回転ディスク、前記通孔に落下したコインがスライドする前記回転ディスクに対し平行に配置されたベース、および、前記ベース上をスライドしつつ前記回転ディスクと共に回動する前記コイン周面を案内する円形のガイド面を有し、さらに前記ベースから突出する第１ピン及び第２ピンによって前記回転ディスクの周方向に前記コインを案内して固定ガイドと移動ガイドによってコインセンサに向かって払い出すようにしたコインホッパであって、前記押出片は、押進部及び押出部を含み、前記押進部は前記通孔に隣接し、前記押出部は前記押進部)に対し前記回転ディスクの回転軸線から遠く離れ、かつ前記回転ディスクの回転後位側に配置され、前記押進部は、前記回転ディスクの前記回転軸線から周方向に伸びる直線上であって、かつ前記回転軸線から前記ガイド面によって案内される前記コイン中心までの距離を半径とする円弧との交点を含む面内に位置し、前記押出部は、前記交点よりも前記回転軸線から離れた位置において前記直線に対し鈍角をなす直線上に位置する外向き面に形成され、さらに、前記第１ピンと前記第２ピンの前記ガイド面側の外周面を接続する直線は前記コインセンサを指向し、前記ガイド面と前記移動ガイドの間にガイドを配置し、前記ガイドは前記ガイド面に続いて前記直線とほぼ平行する出口ガイドを有することを特徴とするコインホッパである。
【発明の効果】
【０００７】
この構成において、回転ディスクの通孔に落下したコインは、押進部によって押されて前記ベース上をスライドし、かつ、ガイド面により案内されつつ回転ディスクと共に回動する。
また、コインは押進部による回動途上において、第１ピンと接触せずに、または、第１ピンに接触して回転ディスクの周縁方向に押出される。
続いて、第２ピンに接触してさらに回転ディスクの周縁方向へ押出され、最終的に押出部によって固定ガイドと移動ガイドとの間に押しやられ、移動ガイドに付加された付勢力によってコインセンサに向かって払い出される。
【０００８】
コインが回転ディスクと共に回動する場合、押進部は、回転ディスクの回転中心から周方向に伸びる直線上にほぼ位置するので、コインをその直線に対しほぼ直角方向に押す。
換言すれば、コインは、押進部による押力の分力と遠心力による合力によってガイド面に押し付けられつつ、回動する。
前記遠心力は、コインが軽いこと、および、回転ディスクの回転速度が比較的遅いことにより、極めて小さい。
また、押進部の押力は、回転ディスクの回転軸を中心とし、案内されるコインと押進部の接点を通る円に対し接線方向に作用するので、ガイド面に作用する分力は小さい。
したがって、ガイド面とコインとが摺動することによる回転ディスクの回転抵抗は小さいので、電気モータの消費電力は少ない。
また、コインは変形せず、かつ、磨耗も少ない。
さらに、固定状態の第１ピンと第２ピンとにより回転ディスクの周方向へコインを案内するので、確実に払い出すことができる。
コインは一面を点在する第１ピン、第２ピン及び固定ガイドにより、他面をこれと平行な出口ガイドによって回転ディスクの接線方向に案内される。
したがって、回転ディスクによって回動されるコインは、それらによって、その接線方向へガイドされるのでスムーズに払出口へ案内される。
結果として、コインの不規則な動きが抑制されてコインを安定して払い出すことができる。
さらに、コインセンサによる検知が安定して行われる。
【０００９】
請求項２の発明は、請求項１の発明において、前記押進部は、前記回転軸線を中心として弧状に形成された押進リブの回転前位側の端面に形成され、前記押出部は、前記回転軸線を中心として弧状に、前記押進リブよりも前記回転軸線から遠い位置であって、かつ前記押進部よりも回転後位側に位置する回転前位側の端面に形成されていることを特徴とする。
この構成において、コインは通孔内に落下して積み重なり、最下のコインのみが押進部および押出部によって押されて払い出されるので、回転ディスクを水平に配置することができる。
結果として、小型のコインホッパであってもコインを貯留するボウル容量を増加できるので、コイン貯留量を増加することができる。
【００１０】
請求項３の発明は、請求項２の発明において、前記直線と前記出口ガイドとの距離が２１．５ミリから２１ミリであり、かつ、ベースの上面と回転ディスクの裏面との間隔が２．０ミリから２．６ミリの範囲に設定したものである。
この構成において、上記サイズよりも小さい場合、１円コインのスムーズな移動が阻害されてコインの払い出しが行われない懸念があり、上記サイズよりも大きい場合、一円コインが複雑に挙動しつつ払い出されてコインセンサで検出されないことがある。
しかし、上記サイズに設定することにより、安定した払出とコインセンサによる検知が行われることが実験において確認された。
【実施例】
【００１１】
図１は本発明の実施例の回転ディスクを装着したコインホッパの分解斜視図である。
図２は本発明の実施例の回転ディスクを装着した（コインボウルを取り除いた）コインホッパの平面図である。
図３は、図２におけるＡ―Ａ線断面図である。
図４から図７は、実施例の作用説明図である。
【００１２】
図１を参照してコインホッパ１０の構造を説明する。
平板状のベース１２の上面に形成されたほぼ円形のガイド穴１４にステンレス製のスライドベース１６が嵌め込まれている。
このスライドベース１６は、ベース１２を耐摩耗性樹脂にすることにより、一体成型してもよい。
しかし、別体に構成した場合、安価な樹脂を使用できるので全体として安価にできる利点がある。
【００１３】
ガイド穴１４の周面は、コインＣのガイド面１５である。
スライドベース１６の上面との間にスペーサ１８を介在させてガイド穴１４内に円盤形の回転ディスク２０が水平に配置されている。
回転ディスク２０には、等間隔でコインＣよりもやや大きく、垂直方向に貫通する円形の通孔２２が複数形成されている。
通孔２２は、図３に示すようにコインＣが落下し易いように下方に向かって先すぼまりのテーパに形成してある。
したがって、通孔２２の間にはリブ２４が位置している。
【００１４】
回転ディスク２０の中央部２６は、マウンド状に盛り上げるとともに稜線を形成してコインＣを攪拌するようにしている。
ベース１２内に配置した減速機２８の出力軸３０はスライドベース１６の中央を下方から上方に貫通しており、その先端は回転ディスク２０の中央に形成した装着孔３２に挿入してある。
回転ディスク２０は、出力軸３０の先端にねじ込んだスクリュウ３４によって出力軸３０に固定されている。
出力軸３０は、減速機２８を介してベース１２の端部に固定した電気モータ３６によって、通常は図２において反時計方向へ回転される。
【００１５】
図３に示すように、回転ディスク２０の裏面３８とスライドベース１６の上面４０との間隔Ｄ１は、コインＣの厚みよりも僅かに大きく設定してある。
リブ２４の裏面には、コインＣの押出片３９が形成され、その下端とスライドベース上面４０との間隔Ｄ２は、コインＣの厚みよりも小さく設定されている。
押出片３９は、押進部４２と押出部４４を含んでいる。
押進部４２は、回転ディスク２０の回転軸線を中心として弧状に形成された押進リブ４６の回転前位側の端面であって、通孔２２に落下して回転ディスク２０と共に回動するコインＣに対しほぼ正接する面である。
【００１６】
換言すると、押進部４２は、通孔２２に隣接しており、回転ディスク２０の回転中心から周方向に伸びる線ＬＡ上にほぼ位置するとともに、回転ディスク２０の軸線を中心とし、かつ、ガイド面１５に案内されるコインＣの中心までの距離を半径とする円弧Ｙと前記線ＬＡとの交点近傍においてコインＣと接する。
なお、押進部４２は、コインＣと面接触することが好ましいが、線接触であってもよい。
【００１７】
押出部４４は、回転ディスク２０の回転軸線を中心として弧状に形成された押出リブ４８の回転前位側の端面であり、押進部４２よりも回転軸線から遠い位置であって、かつ、押進部４２よりも回転後位側に位置し、回転ディスク２０の周方向に面する外向き押出面である。
換言すれば、押出部４４は、直線ＬＡに対し鈍角をなす直線ＬＢ上にほぼ位置している。
スライドベース１６上に第１ピン５０および第２ピン５２が突出している。
第１ピン５０は、押進リブ４６の回転軸心側に位置し、その先端は、回転ディスク２０の裏面に形成された弧状の第１逃げ溝５３に位置可能である。
【００１８】
第２ピン５２は、押出リブ４８と押進リブ４６の間の弧状の第２逃げ溝５５に位置可能である。
これら第１ピン５０と第２ピン５２は、図２に示すように、それらの外周面を結んだ直線ＬＤに対し回転ディスク２０の回転中心と通孔２２の中心とを結んだ直線がほぼ直交する場合、直線ＬＤの近くに通孔２２の内側縁が位置するように配置されている。
すなわち、コインＣがピン５０、５２に対する接線方向に移動するようにして、押進部４２および押出部４４によってそれらピン５０、５２に大きな力で押し付けられないようにしてある。
また、第１ピン５０と第２ピン５２の間隔は、コインＣがそれらの間に大きく落ち込まないように設定してある。
すなわち、コインＣが第１ピン５０と第２ピン５２とに接した場合、コインＣの周縁が直線ＬＤから１ミリ以下の距離になるよう設定してある。
【００１９】
第１ピン５０と第２ピン５２とは、一端をスライドベース１６の裏面に固定された板バネ５３の他端に固定され、それらの先端は図３に示すように、半球形に形成されている。
これにより、第１ピン５０と第２ピン５２が所定値以上の力で押し付けられた場合、スライドベース１６内へ押し下げられる。
ガイド穴１４の第１ピン５０と第２ピン５２の側方が開口され、溝状の払出口５４が形成されている。
【００２０】
この払出口５４に払出装置５６が配置されている。
払出装置５６は、固定ガイド５８と移動ガイド６０を含んでいる。
固定ガイド５８は、固定軸にローラが回転自在に取り付けられており、直線ＬＤに対しピン５０、５２と同じ側であり、かつ、回転ディスク２０の傍に配置されている。
固定ガイド５８と第２ピン５２との間隔は、コインＣが固定ガイド５８と第２ピン５２とに接触した場合、コインＣの周縁が直線ＬＤから１ミリ以下の距離になるよう設定してある。
移動ガイド６０は、固定軸６２を中心に回転可能にレバー６４が取り付けられ、そのレバー６４の先端に固定した軸６６にローラ６８が回転自在に取り付けられている。
【００２１】
レバー６４は、図２において図示しないスプリングにより反時計方向に回転力を付与され、通常はストッパ７０によって図２に示す待機位置に保持されている。
この待機位置において、固定ガイド５８とローラ６８との間隔は、コインＣの直径よりも小さい。
移動ガイド６０は、コインＣによって押された場合、固定軸６２を中心に時計方向へ回動され、そのコインＣはそれら固定ガイド５８と移動ガイド６０の間を通過できる。
コインＣの直径部が固定ガイド５８と移動ガイド６０の間を通過した直後、コインＣは、スプリング（図示せず）による移動ガイド６０の戻り運動によって払出口５４から勢いよく払い出される。
【００２２】
移動ガイド６０とガイド穴１４との間に配置された矩形状のものは、ステンレス材により形成されたコインＣのガイド７２であり、ガイド穴１４のガイド面１５に引き続く弧状ガイド７４と直線ＬＤとほぼ平行な出口ガイド７６が形成されている。
出口ガイド７６は、面状又は線状に形成される。
直線ＬＤとガイド７６の間隔、すなわち、第１ピン５０と出口ガイド７６との間隔は、一円コインの直径である２０ミリよりも僅かに大きい２１ミリに設定してある。
【００２３】
しかし、２１．５ミリまでの範囲であれば、実用可能な間隔であることが実験において確認されている。
また、スライドベース１６の上面４０と回転ディスク２０の裏面３８との間隔は、一円コインの場合、２ミリから２．６ミリの範囲がよい。
すなわち、これらのサイズ以下に設定した場合、コインＣの姿勢に基づくコインＣの進行抵抗のバラツキが大きく、毎回安定して送り出されない。
【００２４】
また、これらのサイズ以上に設定した場合、コインＣの固定ガイド５８と移動ガイド６０によって払い出されるときの姿勢変化が大きくなり、後述のコインセンサ７８が検出できないような姿勢の乱れを発生する。
払出口５４の端部に光電式のコインセンサ７８が配置され、コインＣの通過を検知して払出信号を出力する。
【００２５】
ベース１２にコインＣをバラ積み状態で保留するボウル８０が簡単操作で着脱可能な固定手段８２によりベース１２に固定されている。
ボウル８０の下部に円形の出口が形成され、回転ディスク２０はその下端内部に位置している。
しかし、回転ディスク２０は、その全体がガイド穴１４内に位置し、ボウル８０の下に位置していてもよい。
すなわち、ボウル８０の底部に位置するとは、ボウル８０の下端部内だけでなく、ボウル８０下端に隣接配置される場合も含んでいる。
ボウル８０の上部は、矩形に形成され、その上端面は、コインＣを投入するため、開放されている。
【００２６】
次に図４から図８を参照してアルミ製の一円コインを例に本実施例の作用を説明する。
ボウル８０内に投入されたコインＣは、大部分がボウル８０の底部に位置する回転ディスク２０上に位置する。
回転ディスク２０が回転した場合、ボウル８０内のコインＣは攪拌され、通孔２２に落下し、スライドベース１６上に支持される。
スライドベース１６上に支持されたコインＣは、押進部４２により押されて回転ディスク２０とともに図４に示すように反時計方向に回動される。
【００２７】
このとき、押進部４２は、回転ディスク２０の軸線を中心とし、ガイド面１５、及び、弧状ガイド７４に沿って回動するコインＣの中心を通る円弧Ｙとの接点Ｄを押す。
換言すれば、接点Ｄにおいて回転ディスク２０の中心を通る線ＬＡに対し直交する方向へ力Ｆ１でコインＣを押す。
力Ｆ１の方向が円弧Ｙのほぼ接線方向であるため、ガイド面１５および弧状ガイド７４に向かう分力Ｆ２は小さい。
この分力Ｆ２と、回動による遠心力Ｆ３との合力によってコインＣはガイド面１５、及び弧状ガイド７４を押す。
回転ディスク２０、したがってコインＣの回転速度は比較的小さいので、コインＣはおおよそ分力Ｆ２でガイド面１５及び弧状ガイド７４と摺動する。
したがって、コインＣの周面がガイド面１５及び弧状ガイド７４と摺動することによる抵抗は極めて小さく、回転ディスク２０の回転抵抗が小さいため、モータ３６の消費電力は小さい。
【００２８】
さらに回転ディスク２０が回転すると、コインＣは出口ガイド７６にガイドされる。コインＣが出口ガイド７６に接しつつ移動する場合、第１ピン５０には接触しないが、コインＣが出口ガイド７６から僅かに離れている場合、第１ピン５０に接触する（図５鎖線示）。
この場合、コインＣは押進部４２の押力Ｆ１と第１ピン５０の反力Ｆ４の合力Ｆ５の分力Ｆ６によって出口ガイド７６に押し付けられ、出口ガイド７６に案内されつつ払出口５４へ向かって移動する（図５）。
【００２９】
このとき、押進部４２の押力Ｆ１と第１ピン５０の反力Ｆ４とは鈍角をなすが、比較的小さい鈍角であるため、コインＣの挟み力は小さく、アルミ製コインＣが変形することがない。
また、この後、コインＣは出口ガイド７６、第１ピン５０、スライドベース１６の上面４０および回転ディスク２０の裏面３８によって所定の姿勢で案内される。
換言すると、コインＣの姿勢は上記で囲まれた空間内に限定されるため、上面４０にほぼ平行な状態でガイドされる。
【００３０】
さらに、回転ディスク２０が回転した場合、コインＣはローラ６８と接して第２ピン５２側へ押されると共に、押出部４４によって払出口５４へ向かって押される。
コインＣが固定ガイド５８とローラ６８に挟まれた場合、レバー６４は時計方向へ回動される（図６）。
回転ディスク２０がさらに回転すると、外向きの押出部４４によってコインＣが押されて第２ピン５２との共同によって払出口５４へ押し出される。
【００３１】
このとき、押出部４４による押力Ｆ７の方向は、出口ガイド７６とほぼ平行であり、第２ピン５２の反力Ｆ８とのなす角度は鈍角であっても比較的小さいため、コインＣに大きな挟み力は作用しない。
また、コインＣは移動ガイド６０からも押力Ｆ９を受けるが、その押力は小さいので、アルミ製コインＣが変形することがない。
さらに、コインＣは出口ガイド７６、第１ピン５０、スライドベース１６および回転ディスク２０の裏面３８で制限された所定の姿勢で移動ガイド６０と第２ピン５２に挟まれるので、その姿勢は保持され、コインＣはスライドベース１６にほぼ平行な状態を維持する。
【００３２】
その後、コインＣは固定ガイド５８と移動ガイド６０との間に挟まれた状態で押出部４４によって力Ｆ７で払出口５４側へ押され、可動ローラ６８を更に時計方向へ回動させる。（図７）
このとき、押出部４４は、外向き斜面でコインＣを押し出すので、固定ガイド５８、移動ガイド６０及び押出部４４とによる挟み力は小さく、コインＣは変形しない。
また、コインＣは前記スライドベース１６にほぼ平行な状態を維持する。
コインＣの直径部が固定ガイド５８と移動ガイド６０の間を通過した直後、移動ガイド６０は図示しないスプリングによる反時計方向の回動力によりコインＣを弾いて払出口５４から投出する。
【００３３】
請求項１の発明において、押進部は回転ディスクの回転中心から周方向に伸びる直線上にほぼ位置するので、コインをこの線に対しほぼ直角方向に押すので、コインとガイド面との間の摩擦抵抗は小さい。
結果として、回転ディスクの回転抵抗は小さく、電気モータの消費電力が減少すると共に、軟質材料のコインであっても、変形や短時間で磨耗することがない。
【００３４】
請求項２の発明において、回転ディスクは、コインが通過する通孔と、この通孔の下方に隣接する押進部と押出部を有しているので、回転ディスクを水平に配置することができる。
結果として、小型のコインホッパであってもコインを貯留するボウル容量を増加できるので、コイン貯留量を増加することができる。
【００３５】
請求項３の発明において、コインは、押進部による押力の分力と遠心力による合力によってガイド面に押し付けられつつ、回動する。
前記遠心力は極めて小さく、かつ、押進部の押力は回転ディスクの回転軸を中心とし、案内されるコインと押進部の接点を通る円に対し接線方向に作用するので、ガイド面に作用する分力は小さい。
結果として、回転ディスクの回転抵抗は小さいので、電気モータの消費電力が少なく、また、コインが変形せず、かつ、磨耗も少ない。
さらに、固定状態の第１ピンと第２ピンとにより回転ディスクの周方向へコインを案内するので、確実に払い出すことができる。
【００３６】
請求項４の発明において、第１ピンと第２ピンを接続する直線の近傍の回転ディスクの傍に配置された固定ガイドと、前記ガイド穴のガイド面に続いて前記直線とほぼ平行する出口ガイドが配置されている。
この構成において、コインは一面を点在する第１ピン、第２ピン及び固定ガイドにより、他面をこれと平行な出口ガイドによって回転ディスクの接線方向に案内される。
結果として、コインの不規則な動きが抑制されてコインを安定して払い出すことができる。
【００３７】
請求項５の発明は、前記直線と前記出口ガイドとの距離が２１．５ミリから２１ミリであり、かつ、ベースの上面と回転ディスクの裏面との間隔が２．０ミリから２．６ミリの範囲に設定したものである。
上記サイズに設定することにより、安定した払出とコインセンサによる検知が行われることが実験において確認されている。
【図面の簡単な説明】
【００３８】
【図１】図１は本発明の実施例の回転ディスクを装着したコインホッパの分解斜視図である。
【図２】図２は本発明の実施例の回転ディスクを装着した（コインボウルを取り除いた）コインホッパの平面図である。
【図３】図３は、図２におけるＡ―Ａ線断面図である。
【図４】図４は、実施例の作用説明図である。
【図５】図５は、実施例の作用説明図である。
【図６】図６は、実施例の作用説明図である。
【図７】図７は、実施例の作用説明図である。
【符号の説明】
【００３９】
１４ ガイド穴
１６ スライドベース
２０ 回転ディスク
２２ 通孔
３８ 裏面
３９ 押出片
４２ 押進部
４４ 押出部
５０ 第１ピン
５２ 第２ピン
５８ 固定ガイド
７６ 出口ガイド
８０ ボウル
Ｃ コイン
ＬＡ 回転中心から周方向に伸びる直線
ＬＢ 鈍角をなす線
ＬＤ 直線
【図１】
2010015594.tif 000003
【図２】
2010015594.tif 000004
【図３】
2010015594.tif 000005
【図４】
2010015594.tif 000006
【図５】
2010015594.tif 000007
【図６】
2010015594.tif 000008
【図７】
2010015594.tif 000009